(57)【特許請求の範囲】
【請求項１】
電子掲示板システム、その他電子伝言システム、チャットシステム、ウエッブログシステム等の交流、コミュニケーション、出会い、情報交換、情報公開等、第三者との何らかの接触、第三者への情報公開、又はそれらの情報を閲覧する事を支援する為のサービス等を提供できる実施サーバーシステムと、それらサーバーシステムと通信を行える各種インターネット端末内のクライアントシステム間にて送受信される実施サーバーシステムにおいて、広告情報格納システムに広告情報登録クライアントから提供された広告情報をキーワード乃至キーデータ若しくは受信者条件と関連づけて登録しておくと共にデータ送信のきっかけとなった過去のデータを対象として動機となるキーワードを該広告情報データと関連づけて前記広告情報格納システムに保存しておき、新規の通信データを実施サーバーシステムに送信してデータ送信のきっかけとなった可能性のあるデータを対象として統計学的手法を用いてデータ通信する動機となるキーワードとなりえる特定の大きさの単語、文字列、又はデータの摘出を行い、それら摘出されたキーワードを条件とし、広告情報格納システムを検索し、摘出されたキーワード乃至キーデータの中で広告情報格納システムに登録されたキーワード乃至キーデータに該当する割合を表す的中率が予め設定された割合を超えた場合に、挿入されるべき広告、情報となりえるデータを取得し、送受信されるデータ内に入れ込み、広告あるいは情報等の配信を行うことを特徴とする情報配信システム。
【請求項２】
サーバークライアントシステム間又はクライアントシステム間により送受信される各種データ又は受信後蓄積されるデータにおいて、区切りとなりえる特定の場所等により特定の大きさ又は長さに細分化し、キーワード又はキーデータとして摘出を行うキーワード摘出システムを備えたことを特徴とする請求項１記載の情報配信システム。
【請求項３】
外部ソフトウエアーを呼び出し、サーバークライアントシステム間又はクライアントシステム間により送受信ないし受信後蓄積されるバイナリーファイルデータ内の文字列を認識し、文字列としての摘出を行い、それら摘出された文字列を区切りとなりえる特定の場所等により特定の大きさ又は長さに細分化し、キーワードとして摘出を行うキーワード摘出システムを備えたことを特徴とする請求項１記載の情報配信システム。
【請求項４】
サーバークライアントシステム間又はクライアントシステム間により送受信ないし受信後蓄積されるバイナリーデータが画像データである場合には、画像認識サンプリングソフトウエアーを使用して、データに存在する各ピクセル、色、幅、大きさ、背景に対しての配色又は位置等のデータを認識し、それらのデータをもとに文字列変換データベースを参照し、特定の状況または物体を表すデータであると判断された場合は、該当データと対になる文字列をキーワードとして摘出されるキーワード摘出システムを備えたことを特徴とする請求項１記載の情報配信システム。
【請求項５】
複数の特定キーワード又はキーデータ、情報提供を行う対象となる年齢、性別、在住地域等の受信者条件と共に、提供される広告、情報となるデータを関連付けした上で、それらを同時に格納可能な広告情報格納システムを備えたことを特徴とする請求項１記載の情報配信システム。
【請求項６】
請求項２、３または４に記載のキーワード摘出システムを使用し摘出された各種キーワード又はキーデータ、又はそれらと共に年齢、性別、在住地域等の希望受信者等を検索条件とし、条件を満たす全ての該当情報を請求項５に記載の広告情報格納システムより検索し、挿入されるべき広告、情報、データの検索を行う提供情報検索システムを備えたことを特徴とする情報配信システム。
【請求項７】
サーバークライアントシステム間又はクライアント間により送受信される各種データ内又は受信後蓄積されるデータ内へ、請求項６記載の提供情報検索システムにて検索された、挿入されるべき広告、情報、データの挿入を行う情報挿入システムを備えたことを特徴とする情報配信システム。
【請求項８】
外部ソフトウエアー等を使用し、バイナリー、画像、音、音楽、音声データ等のサンプリングを行い、サーバークライアントシステム間又はクライアントシステム間により送受信されるデータ内又は受信後蓄積されるデータ内へ、請求項６記載の提供情報検索システムにて検索された、挿入されるべき広告、情報、データの挿入を行う情報挿入システムを備えたことを特徴とする情報配信システム。
【請求項９】
請求項７または８記載の情報挿入システムにより情報挿入が行われた各種データを、電子メール、ＨＴＭＬ、ＸＭＬ等、各種データ送信先サーバーシステム又はクライアントシステムに応じて適切な送信データへ変換を行うデータ変換システムを備えたことを特徴とする情報配信システム。
【請求項１０】
前記のキーワード摘出システム、広告情報格納システム、提供情報検索システム、情報挿入システム、データ変換システムをサーバーシステムとして備えたことを特徴とする請求項１〜９の何れかに記載の情報配信システム。
【請求項１１】
サーバーシステム間又はクライアントシステム間により受信、送信、蓄積された各種データにおいて、請求項１０記載のサーバーシステムを使用し、広告あるいは情報の配信を行う事を特徴とする情報配信システム。
【請求項１２】
サーバーシステム内又はクライアントシステムにより作成される、画像、音、各種バイナリーデータ、バーコード等の作成時に参照ないし使用される各種データにおいて、請求項１０記載のサーバーシステムを使用し、データ内に広告あるいは情報のデータを埋め込む事を特徴とする情報配信システム。
【請求項１３】
各クライアントシステムより送信された何らかのデータ又は要求を、サーバーシステム又は他のクライアントにて受信又は完了した事を通知する目的で送信される各種通知、又はそれらを作成する際に参照ないし使用される各種データにおいて、請求項１０記載のサーバーシステムを使用し、広告あるいは情報等の配信を行う事を特徴とする情報配信システム。
【請求項１４】
サーバーシステム又は各クライアント内の変化を伝えるために送信される各種通知、又はそれらを作成する際に参照ないし使用される各種データにおいて、請求項１０記載のサーバーシステムを使用し、広告あるいはサービス等の情報配信を行う事を特徴とする情報配信システム。
【請求項１５】
サーバーシステム又は各クライアントシステムにより受信、送信、蓄積される各種データに関連があると判断されるデータ、又はそれらのデータを受信、送信、蓄積する動機、きっかけとなったデータを、サーバーシステム又は各クライアントシステムにて受信、送信、蓄積される又はされた各種データ内から探し出し、請求項１０記載のサーバーシステムを使用し、広告あるいはサービス等の情報配信を行う事を特徴とする情報配信システム。
【請求項１６】
サーバーシステム又は各クライアントシステムにより、他のサーバーシステム又はクライアントシステムを参照する事により得られた各種データにおいて、請求項１０記載のサーバーシステムを使用し、広告あるいは情報等の配信を行う事を特徴とする情報配信システム。
【請求項１７】
サーバーシステム又は各クライアントシステムにより、他のサーバーシステム又はクライアントシステムへ転送される各種データにおいて、請求項１０記載のサーバーシステムを使用し、広告あるいは情報等の配信を行う事を特徴とする情報配信システム。
【請求項１８】
前記のキーワード摘出システム、広告情報格納システム、提供情報検索システム、情報挿入システム、データ変換システムをサーバーシステムとして備えていないサーバーシステムないしクライアントシステムより受信した各種データについて、前記のキーワード摘出システム、広告情報格納システム、提供情報検索システム、情報挿入システム、データ変換システムを必要に応じて使用し、それらの結果を各サーバーシステムないしクライアントシステムへ送信する事を特徴とする請求項１〜１７の何れかに記載の情報配信システム。
【請求項１９】
前記のキーワード摘出システム、広告情報格納システム、提供情報検索システム、情報挿入システム、データ変換システムの何れかを、キーワードにもとづく情報配信システムとしてサーバーシステムないしクライアントシステム内に組み込む事を特徴とする請求項１〜１８の何れかに記載の情報配信システム。
【請求項２０】
情報交換、情報公開又は情報の閲覧を支援するサービスを提供するサーバーと、前記サーバーとインターネットを介して通信可能なクライアントとの間で送受信される実施サーバーシステムにおいて、広告情報格納システムに広告情報登録クライアントから提供された広告情報をキーワード乃至キーデータ若しくは受信者条件と関連づけて登録しておくと共にデータ送信のきっかけとなった過去のデータを対象として動機となるキーワードを該広告情報データと関連づけて前記広告情報格納システムに保存しておき、キーワード摘出部が実施サーバーシステムに送信された新規の各種データの中からデータ送信のきっかけとなった可能性のあるデータを対象として統計学的手法を用いてデータ通信する動機となるキーワードとなりえる特定の大きさの単語、文字列、又はデータを摘出し、キーワード検索部が、前記摘出されたキーワード乃至キーデータを検索条件として、予め広告・情報登録クライアントから提供され、広告情報格納システムに登録された広告情報を検索し、摘出されたキーワード乃至キーデータの中で広告情報格納システムに登録されたキーワード乃至キーデータに該当する割合を表す的中率が予め設定された割合を超えた場合に、広告・情報挿入部が、前記検索された広告・情報データを抽出し、該広告・情報データを送信されるデータ内に挿入し、データ送信サーバーシステムが、前記挿入されたデータに基づいて受信クライアントに広告・情報の配信をすることを特徴とする広告・情報配信システム。
【請求項２１】
前記キーワード摘出部は、キーワード摘出システムによって、サーバークライアントシステム間又はクライアントシステム間により送受信される各種データ又は受信後蓄積されるデータを、区切りとなる特定の場所によって特定の大きさ乃至長さに細分化し、キーワード乃至キーデータとして摘出することを特徴とする請求項２０記載の広告・情報配信システム。
【請求項２２】
前記キーワード摘出部は、キーワード摘出システムによって、外部ソフトウエアーを呼び出し、該外部ソフトウエアーにしたがって、サーバークライアントシステム間又はクライアントシステム間により送受信ないし受信後蓄積されるバイナリーファイルデータ内の文字列を摘出し、それら摘出された文字列を区切りとなる特定の場所によって特定の大きさ又は長さに細分化し、キーワードとして摘出することを特徴とする請求項２０記載の広告・情報配信システム。
【請求項２３】
前記キーワード摘出部は、サーバークライアントシステム間又はクライアントシステム間により送受信ないし受信後蓄積されるバイナリーデータが画像データである場合には、画像認識サンプリングソフトウエアーを使用し、データに存在する各ピクセル、色、幅、大きさ、背景に対しての配色又は位置等のデータを認識し、それらのデータをもとに文字列変換データベースを参照し、特定の状況または物体を表すデータであると判断された場合は、該当データと対になる文字列をキーワードとして摘出することを特徴とする請求項２０記載の広告・情報配信システム。
【請求項２４】
前記広告・情報格納システムに、クライアントの年齢、性別、在住地域、趣味等からなる受信者条件を、特定キーワード乃至キーデータ及び情報提供者の提供する広告・情報データと関連付けて格納しておき、前記受信者情報を特定キーワード乃至キーデータと組み合わせて検索条件とすることを特徴とする請求項２０記載の広告・情報配信システム。
【請求項２５】
前記キーワード検索部は、前記キーワード摘出部によって摘出されたキーワード乃至キーデータと広告情報格納システム内に登録されたキーワード乃至キーデータとを比較し、摘出されたキーワード乃至キーデータの中で広告情報格納システム内に登録されたキーワード乃至キーデータに該当する割合を表す的中率を算出し、前記的中率が所定の設定値を超えた場合に、該キーワード乃至キーデータに該当する広告・情報データを送信データ内に挿入し、配信することを特徴とする請求項２０記載の広告・情報配信システム。
【請求項２６】
前記のキーワード乃至キーデータを条件とする検索において、データ送信のきっかけとなった過去のデータを対象として動機となるキーワードより現在のデータをマキシマムライクリフッドメソッド又はマルコフチェーンモデルの何れかの統計学的手法を外部ソフトウエアーを実行して的中率を計算し、該的中率が所定の割合を超えたもののみを広告・情報データとして挿入することを特徴とする請求項２０記載の広告・情報配信システム。
【請求項２７】
前記キーワード摘出部、キーワード検索部、広告・情報挿入部、送信データ作成部を、実施サーバーシステムとしたことを特徴とする請求項２０記載の広告・情報配信システム。
【発明の詳細な説明】
【技術分野】
【０００１】
この発明は、インターネットを通じて送受信される各種データを対象に、キーワードをもとにした広告・情報配信システムに関する。
【背景技術】
【０００２】
従来インターネット内での広告は、ホームページ内に取り付けられた帯状広告、テキスト広告、又はダイレクトメール、フリーメール等を提供する事によるメール内広告等により行われていた。
【０００３】
これらの広告方法は主にホームページへアクセスをした閲覧者、又は電子メールアドレスを保持している受信者に対して手当り次第に配信する方法、もしくは特定のサービスを利用する利用者の年齢、性別、在住地域、趣味等を予め取得し、それらの条件によって提供されるべき文字列又は広告の決定を行いメール内等に広告を埋め込む方法によって行われるものである。
【０００４】
また昨今新たな広告情報提供方法として、検索エンジン等において検索を行う際に使用するキーワードをもとに、提供する情報、広告内容を決定又は変更し、検索結果と共に利用者の探していると思われる情報の広告を提供し、比較的的を絞った広告配信方法が利用されている。また、メールに広告情報を追加可能なメール配信システム等の発明として下記特許文献１が開示されている。
【特許文献１】特開２００４−１５８０２３
【発明の開示】
【発明が解決しようとする課題】
【０００５】
しかしながら、以上の技術によれば、ホームページ又は電子メールでの広告情報提供においては、ある程度までの目的別に分けた受信者への広告情報配信しかできず、又検索エンジンでのキーワード広告においても、検索時に使用されるキーワードによっては利用者の望んでいる情報とはまったく異なった内容の広告情報配信となってしまい、的確な情報を特定の受信者へ確実に配信することは難しかった。そこで、この発明は、ある特定の話題又は物事に興味乃至動機を持っている情報受信者にのみ特定の意味ある情報を提供し、情報を必要としている情報受信者へ、必要な情報を提供する際の的中率を飛躍的に向上させることを課題とする。
【課題を解決するための手段】
【０００６】
以上の課題を解決するために、第１発明は、電子掲示板システム、その他電子伝言システム、チャットシステム、ウエッブログシステム等の交流、コミュニケーション、出会い、情報交換、情報公開等、第三者との何らかの接触、第三者への情報公開、又はそれらの情報を閲覧する事を支援する為のサービス等を提供できる実施サーバーシステムと、それらサーバーシステムと通信を行える各種インターネット端末内のクライアントシステム間にて送受信される実施サーバーシステムにおいて、広告情報格納システムに広告情報登録クライアントから提供された広告情報をキーワード乃至キーデータ若しくは受信者条件と関連づけて登録しておくと共にデータ送信のきっかけとなった過去のデータを対象として動機となるキーワードを該広告情報データと関連づけて前記広告情報格納システムに保存しておき、新規の通信データを実施サーバーシステムに送信してデータ送信のきっかけとなった可能性のあるデータを対象としてベイズ統計学、マキシマムライクリフッドメソッド又はマルコフチェーンモデルの何れかの統計学的手法を用いてデータ通信する動機となるキーワードとなりえる特定の大きさの単語、文字列、又はデータの摘出を行い、それら摘出されたキーワードを条件とし、広告情報格納システムを検索し、摘出されたキーワード乃至キーデータの中で広告情報格納システムに登録されたキーワード乃至キーデータに該当する割合を表す的中率が予め設定された割合を超えた場合に、挿入されるべき広告、情報となりえるデータを取得し、送受信されるデータ内に入れ込み、広告あるいは情報等の配信を行うことを特徴とする情報配信システムである。
【０００７】
第２発明は、サーバークライアントシステム間又はクライアントシステム間により送受信される各種データ又は受信後蓄積されるデータにおいて、区切りとなりえる特定の場所等により特定の大きさ又は長さに細分化し、キーワード又はキーデータとして摘出を行うキーワード摘出システムを備えたことを特徴とする第１発明の情報配信システムである。
【０００８】
第３発明は、外部ソフトウエアーを呼び出し、サーバークライアントシステム間又はクライアントシステム間により送受信ないし受信後蓄積されるバイナリーファイルデータ内の文字列を認識し、文字列としての摘出を行い、それら摘出された文字列を区切りとなりえる特定の場所等により特定の大きさ又は長さに細分化し、キーワードとして摘出を行うキーワード摘出システムを備えたことを特徴とする第１発明の情報配信システムである。
【０００９】
第４発明は、サーバークライアントシステム間又はクライアントシステム間により送受信ないし受信後蓄積されるバイナリーデータが画像データである場合には、画像認識サンプリングソフトウエアーを使用して、データに存在する各ピクセル、色、幅、大きさ、背景に対しての配色又は位置等のデータを認識し、それらのデータをもとに文字列変換データベースを参照し、特定の状況または物体を表すデータであると判断された場合は、該当データと対になる文字列をキーワードとして摘出されるキーワード摘出システムを備えたことを特徴とする第１発明の情報配信システムである。
【００１０】
第５発明は、複数の特定キーワード又はキーデータ、情報提供を行う対象となる年齢、性別、在住地域等の受信者条件と共に、提供される広告、情報となるデータを関連付けした上で、それらを同時に格納可能な広告情報格納システムを備えたことを特徴とする第１発明の情報配信システムである。
【００１１】
第６発明は、第２発明、第３発明または第４発明に記載のキーワード摘出システムを使用し摘出された各種キーワード又はキーデータ、又はそれらと共に年齢、性別、在住地域等の希望受信者等を検索条件とし、条件を満たす全ての該当情報を第５発明の広告情報格納システムより検索し、挿入されるべき広告、情報、データの検索を行う提供情報検索システムを備えたことを特徴とする情報配信システムである。
【００１２】
第７発明は、サーバークライアントシステム間又はクライアント間により送受信される各種データ内又は受信後蓄積されるデータ内へ、第６発明の提供情報検索システムにて検索された、挿入されるべき広告、情報、データの挿入を行う情報挿入システムを備えたことを特徴とする情報配信システムである。
【００１３】
第８発明は、外部ソフトウエアー等を使用し、バイナリー、画像、音、音楽、音声データ等のサンプリングを行い、サーバークライアントシステム間又はクライアントシステム間により送受信されるデータ内又は受信後蓄積されるデータ内へ、第６発明の提供情報検索システムにて検索された、挿入されるべき広告、情報、データの挿入を行う情報挿入システムを備えたことを特徴とする情報配信システムである。
【００１４】
第９発明は、第７発明、第８発明の情報挿入システムにより情報挿入が行われた各種データを、電子メール、ＨＴＭＬ、ＸＭＬ等、各種データ送信先サーバーシステム又はクライアントシステムに応じて適切な送信データへ変換を行うデータ変換システムを備えたことを特徴とする情報配信システムである。
【００１５】
第１０発明は、前記のキーワード摘出システム、広告情報格納システム、提供情報検索システム、情報挿入システム、データ変換システムをサーバーシステムとして備えたことを特徴とする第２発明から第９発明の情報配信システムである。
【００１６】
第１１発明は、サーバーシステム間又はクライアントシステム間により受信、送信、蓄積された各種データにおいて、第１０発明に示されるのサーバーシステムを使用し、広告あるいは情報の配信を行う事を特徴とする情報配信システムである。
【００１７】
第１２発明は、サーバーシステム内又はクライアントシステムにより作成される、画像、音、各種バイナリーデータ、バーコード等の作成時に参照ないし使用される各種データにおいて、第１０発明に示されるサーバーシステムを使用し、データ内に広告あるいは情報のデータを埋め込む事を特徴とする情報配信システムである。
【００１８】
第１３発明は、各クライアントシステムより送信された何らかのデータ又は要求を、サーバーシステム又は他のクライアントにて受信又は完了した事を通知する目的で送信される各種通知、又はそれらを作成する際に参照ないし使用される各種データにおいて、第１０発明に示されるサーバーシステムを使用し、広告あるいは情報等の配信を行う事を特徴とする情報配信システムである。
【００１９】
第１４発明は、サーバーシステム又は各クライアント内の変化を伝えるために送信される各種通知、又はそれらを作成する際に参照ないし使用される各種データにおいて、第１０発明に示されるサーバーシステムを使用し、広告あるいはサービス等の情報配信を行う事を特徴とする情報配信システムである。
【００２０】
第１５発明は、サーバーシステム又は各クライアントシステムにより受信、送信、蓄積される各種データに関連があると判断されるデータ、又はそれらのデータを受信、送信、蓄積する動機、きっかけとなったデータを、サーバーシステム又は各クライアントシステムにて受信、送信、蓄積される又はされた各種データ内から探し出し、第１０発明に示されるサーバーシステムを使用し、広告あるいはサービス等の情報配信を行う事を特徴とする情報配信システムである。
【００２１】
第１６発明は、サーバーシステム又は各クライアントシステムにより、他のサーバーシステム又はクライアントシステムを参照する事により得られた各種データにおいて、第１０発明に示されるサーバーシステムを使用し、広告あるいは情報等の配信を行う事を特徴とした情報配信システムである。
【００２２】
第１７発明は、サーバーシステム又は各クライアントシステムにより、他のサーバーシステム又はクライアントシステムへ転送される各種データにおいて、第１０発明に示されるサーバーシステムを使用し、広告あるいは情報等の配信を行う事を特徴とする情報配信システムである。
【００２３】
第１８発明は、第１０発明に示されるキーワードにもとづく情報配信システムを全く保有しない又は一部保有しているサーバーシステムないしクライアントシステムより受信した各種データ、又は各サーバーシステムないしクライアントシステムにて、第２発明から第９発明に示されるキーワード摘出システム、広告情報格納システム、提供情報検索システム、情報挿入システム、データ変換システムを必要に応じ使用し、それらの結果を各サーバーシステムないしクライアントシステムへ送信する事を特徴とする情報配信システムである。
【００２４】
第１９発明は、第２発明から第９発明により示されるキーワード摘出システム、広告情報格納システム、提供情報検索システム、情報挿入システム、データ変換システムの全て又一部を、キーワードにもとづく情報配信システムとしてクライアントシステム内に組み込む事を特徴とする情報配信システムである。
【００２５】
また、前記の課題を解決するために、本発明は、情報交換、情報公開又は情報の閲覧を支援するサービスを提供するサーバーと、前記サーバーとインターネットを介して通信可能なクライアントとの間で送受信される実施サーバーシステムにおいて、広告情報格納システムに広告情報登録クライアントから提供された広告情報をキーワード乃至キーデータ若しくは受信者条件と関連づけて登録しておくと共にデータ送信のきっかけとなった過去のデータを対象として動機となるキーワードを該広告情報データと関連づけて前記広告情報格納システムに保存しておき、キーワード摘出部が実施サーバーシステムに送信された新規の各種データの中からデータ送信のきっかけとなった可能性のあるデータを対象として統計学的手法を用いてデータ通信する動機となるキーワードとなりえる特定の大きさの単語、文字列、又はデータを摘出し、キーワード検索部が、前記摘出されたキーワード乃至キーデータを検索条件として、予め広告・情報登録クライアントから提供され、広告情報格納システムに登録された広告情報を検索し、摘出されたキーワード乃至キーデータの中で広告情報格納システム内に登録されたキーワード乃至キーデータに該当する割合を表す的中率が予め設定された割合を超えた場合に、広告・情報挿入部が、前記検索された広告・情報データを抽出し、該広告・情報データを送信されるデータ内に挿入し、データ送信サーバーシステムが、前記挿入されたデータに基づいて受信クライアントに広告・情報の配信をすることを特徴とする広告・情報配信システムとする（請求項２０）。
【００２６】
また、前記の課題を解決するために、本発明は、前記キーワード摘出部は、キーワード摘出システムによって、サーバークライアントシステム間又はクライアントシステム間により送受信される各種データ又は受信後蓄積されるデータを、区切りとなる特定の場所によって特定の大きさ乃至長さに細分化し、キーワード乃至キーデータとして摘出することを特徴とする前記の広告・情報配信システムとすることが好ましい（請求項２１）。
【００２７】
また、前記の課題を解決するために、本発明は、前記キーワード摘出部は、キーワード摘出システムによって、外部ソフトウエアーを呼び出し、該外部ソフトウエアーにしたがって、サーバークライアントシステム間又はクライアントシステム間により送受信ないし受信後蓄積されるバイナリーファイルデータ内の文字列を摘出し、それら摘出された文字列を区切りとなる特定の場所によって特定の大きさ又は長さに細分化し、キーワードとして摘出することを特徴とする前記の広告・情報配信システムとすることが好ましい（請求項２２）。
【００２８】
また、前記の課題を解決するために、本発明は、前記キーワード摘出部は、サーバークライアントシステム間又はクライアントシステム間により送受信ないし受信後蓄積されるバイナリーデータが画像データである場合には、画像認識サンプリングソフトウエアーを使用し、データに存在する各ピクセル、色、幅、大きさ、背景に対しての配色又は位置等のデータを認識し、それらのデータをもとに文字列変換データベースを参照し、特定の状況または物体を表すデータであると判断された場合は、該当データと対になる文字列をキーワードとして摘出することを特徴とする前記の広告・情報配信システムとすることが好ましい（請求項２３）。
【００２９】
また、前記の課題を解決するために、本発明は、前記広告・情報格納システムに、クライアントの年齢、性別、在住地域、趣味等からなる受信者条件を、特定キーワード乃至キーデータ及び情報提供者の提供する広告・情報データと関連付けて格納しておき、前記受信者情報を特定キーワード又はキーデータと組み合わせて検索条件とすることを特徴とする前記の広告・情報配信システムとすることが好ましい（請求項２４）。
【００３０】
また、前記の課題を解決するために、本発明は、前記キーワード検索部は、前記キーワード摘出部によって摘出されたキーワード乃至キーデータと広告情報格納システム内に登録されたキーワード乃至キーデータとを比較し、摘出されたキーワード乃至キーデータの中で広告情報格納システム内に登録されたキーワード乃至キーデータに該当する割合を表す的中率を算出し、前記的中率が所定の設定値を超えた場合に、該キーワード乃至キーデータに該当する広告・情報データを送信データ内に挿入し、配信することを特徴とする前記の広告・情報配信システムとすることが好ましい（請求項２５）。
【００３１】
また、前記の課題を解決するために、本発明は、前記のキーワード乃至キーデータを条件とする検索において、データ送信のきっかけとなった過去のデータを対象として動機となるキーワードより現在のデータをマキシマムライクリフッドメソッド又はマルコフチェーンモデルの何れかの統計学的手法を外部ソフトウエアーを実行して的中率を計算し、該的中率が所定の割合を超えたもののみを広告・情報データとして挿入することを特徴とする請求項２０記載の広告・情報配信システムとすることが好ましい（請求項２６）。
【００３２】
また、前記の課題を解決するために、本発明は、前記キーワード摘出部、キーワード検索部、広告・情報挿入部、送信データ作成部を、実施サーバーシステムとしたことを特徴とする前記の広告・情報配信システムとすることが好ましい（請求項２７）。
【発明の効果】
【００３３】
交流、コミュニケーション、出会い、情報交換、情報発信等、第三者との何らかの接触、第三者への情報公開、又はそれらの情報を閲覧することを目的としたデータの送受信を行うクライアントは、既にそれらのデータ又はデータ通信を必要としており、或いは何らかの興味ないし動機となる理由を持っているクライアントである。
【００３４】
本発明の広告・情報配信システムは、前記クライアントによって送受信されるデータ内よりキーワード乃至キーデータとなり得るデータを抜き出し、特定の条件を満たすキーワード乃至キーデータの存在がデータ中に確認された場合にのみ適切な情報又はデータを送受信されるデータ内に挿入するので、特定の話題、物事あるいはデータ、それらの通信に対して既に興味又は動機を持っている送受信者に対してのみ効率良く情報提供を行う。よって、情報受信者が必要とする情報の的中率を飛躍的に向上させる。
【００３５】
更に、この広告・情報配信システムをサーバークライアントシステム間だけでなく、サーバーシステム間又はクライアントシステム間で送受信されるデータに対しても適用することにより、キーワード又はキーデータの摘出対象データ数が増え、情報の的中率を更に飛躍的に向上させる。
【発明を実施するための最良の形態】
【００３６】
この発明を実施するための最良の形態（以下「実施形態」と称する）について以下に説明するが、本発明はかかる実施形態によって何ら制限を受けるものではない。図１は、この発明の一実施形態の構成を示すブロック図である。本発明の実施形態にかかる広告・情報配信システムは、実施サーバーシステム１５として点線で囲まれた部分、即ち、キーワード摘出部３、キーワード検索部６、広告・情報挿入部９、送信データ作成部１２を主要構成部とする。情報の送信クライアント１ないし受信クライアント１４は、交流、コミュニケーション、出会い、情報交換、情報発信等、第三者との何らかの接触又は第三者への情報公開を目的とした電子掲示板システム、その他電子伝言システム、電子メールサーバーシステム、ウエッブログサーバーシステム、チャットサーバーシステム、インスタントメッセンジャーサーバーシステム等のサーバーシステムと各種インターネットを介して通信可能な端末内クライアントである。また、図４は、本発明の実施形態にかかる広告・情報配信システムにおける動作を例示するフローチャートである。
【００３７】
図1に示される構成においては、まず送信クライアント１により、文字列、画像データ、音声データ、ファイルデータ、その他の各種データが、入力フォームもしくはソフトウエアー内部のアクセス情報として実施サーバーシステム１５へ送信される。
【００３８】
その後、送信されたデータは、キーワード摘出部３にて特定の品詞、スペース、句読点等のデータの区切りとなる箇所で、特定の大きさ又は長さに細分化され、キーワードもしくはキーデータとなる単語やデータの摘出が行われる。
【００３９】
この際、送信されたデータがバイナリー形式であり、且つ特定の解析ソフトウエアーを使用することにより、バイナリーデータの文字列を取得可能な場合は、それらの文字列を抜き出し、特定の品詞、スペース、句読点等で区切り、キーワードとなる文字列を摘出する。
【００４０】
バイナリーデータ内の文字列を抜き出し、摘出する操作は、例えば、アドビ社によって提供されるアクロバットリーダー形式のファイルをピーディエフリブ（PDFlib）ライブラリ等の外部プログラム５ａを、外部プログラム呼び出し部４ａにより呼び出して該プログラムを実行して行う。
【００４１】
更に、送信されたバイナリーデータが画像データファイルである場合には、サンプリング部４ｂに設置された特定の画像認識サンプリングソフトウエアーを使用し、データに存在する各ピクセル、色、幅、大きさ、背景に対しての配色又は位置等のデータを認識し、それらのデータをもとに文字列変換データベース５ｂを参照し、特定の状況または物体を表すデータであると判断された場合は、該当データと対になる文字列をキーワードとして摘出される。
【００４２】
前記画像認識サンプリングソフトウエアーは、例えばマシーンビジョン（Machine Vision）、オブジェクトディテクション（Object Detection）、オブジェクトアイデンティフィケーション（Object Identification）等の技術に対応した外部プログラム５ａであって、該プログラムを外部プログラム呼び出し部４ａにより呼び出し、かかるプログラムを実行して画像内の物体等を文字列に変換し、キーワードとして摘出される。
【００４３】
また、送信されてきたバイナリーデータが音データファイルである場合には、サンプリング部４ｂに設置された特定の音声認識サンプリングソフトウエアーを使用し、例えば、特定の音、音楽、音声データの波形を特定の大きさに細分化した上で、個々の波形の長さ、音程、速さ、区切り等の情報をデータ化し、それらのデータをもとに文字列変換データベース５ｂの検索を行い、特定の語句、物体、状況等が文字列として認識された場合には、それらをキーワードとして摘出される。
【００４４】
音声認識サンプリングソフトウエアーは、例えば、入力された音声を文字列に変換を行なう外部プログラム５ａであり、該外部プログラム５ａを外部プログラム呼び出し部４ａにより呼び出して実行することによって、音、音楽、音声を文字列へ変換を行い、キーワードとして摘出される。
【００４５】
広告情報格納システム７には、広告・情報登録クライアント２から提供された広告ないし情報が、各種キーワードないしキーデータもしくは受信者条件と関連づけられて事前に登録されており、キーワード摘出部３、外部プログラム呼び出し部４ａ、サンプリング部４ｂ、外部プログラム５ａ、文字列変換データベース５ｂにて摘出されたキーワードもしくはキーデータを検索条件として、キーワード検索部６が、広告情報格納システム７に格納されたキーワード乃至キーデータと一致する広告・情報を検索して抽出する。
【００４６】
文字列をキーワードとして検索する場合は、例えば、「テニス」、「部員」、「募集」のようなキーワードとなる文字列の組み合わせにより検索される。キーデータ（バイナリーデータ）の場合は文字列とは違い、例えば、発音者により音の波形が変わってくるので、「あ」と認識される波形を特定し、標準の波形に対して類似度が何％の範囲までを「あ」と認識するか、その認識率（類似度）の割合を予め決めておき、その範囲内にある波形を「あ」と認識してキーデータとする。画像に関しても音声に準じた技術が適用される。前記のキーデータ（バイナリーデータ）の取り扱いは、例えば、前述の外部プログラムである音声認識サンプリングソフトウエアー又は画像認識サンプリングソフトウエアーによって実行する。
【００４７】
また、データを検索するに際しては、統計学的手法を組み込んで実行することが好ましい。統計学的手法には、例えば、ベイズ統計学、マキシマムライクリフッドメソッド又はマルコフチェーンモデル等が挙げられる。しかしながら、統計学的手法はベイズ統計学、マキシマムライクリフッドメソッド又はマルコフチェーンモデル等にて目的達成されるを可とするが、これに限定されるべきではない。前記統計学的手法によれば、過去のデータをもとにして現在のデータを計算して、的中率を向上させることができる。例えば、「テニス」、「部員」、「募集」なるキーワードをセットした場合、これらのキーワードが含まれる文章を該当データとしてデータベースに保存しておいて、その後、新規のデータを実施サーバーシステム１５に送信して本システムのプログラムを実行すると、外部プログラムが起動して、前記ベイズ統計学、マキシマムライクリフッドメソッド又はマルコフチェーンモデル等の統計学的手法に基づく計算を実行し、例えば「テニス」、「部員」、「募集」なる全てのキーワードと完全に一致しない場合でも、データベースに保存されている過去のデータから、ある程度部分的に一致している場合に、一致する部分がどの程度かを割合（的中率）として定め、この的中率が所定の割合を超えていれば広告・情報を挿入するに相応しいと判断する。斯くして、挿入するに相応しいと判断されたデータのみを広告・情報データとして挿入することによって的中率が向上することとなる。
【００４８】
更に、前記キーワード検索部は、前記キーワード摘出部によって摘出されたキーワード乃至キーデータと広告情報格納システム内に登録されたキーワード乃至キーデータとを比較し、摘出されたキーワード乃至キーデータの中で広告情報格納システム内に登録されたキーワード乃至キーデータに該当する割合（的中率）を算出し、前記割合が所定の設定値を超えた場合に、該キーワード乃至キーデータに該当する広告・情報データを送信データ内に挿入して配信する。
【００４９】
また、広告情報格納システム７を検索する際に、事前に利用者データベース８内に取得している送信クライアント１もしくは受信クライアント１４の年齢、性別、在住地域、趣味等の受信者情報を同時に広告情報格納システム７の検索条件として使用してもよく、これら受信者情報と、送信されてきた各種データから摘出されたキーワードとを組み合わせて広告情報格納システム７に登録された情報の検索をしてもよい。
【００５０】
前記検索により、送信クライアント１より送信されてきたデータに広告情報格納システム７に登録された検索条件に該当するキーワードもしくはキーデータの存在が確認された場合には、広告・情報挿入部９が、広告情報格納システム７に登録されたデータの中で、前記検索条件に該当する広告・情報の文字列、画像データ、音声データ、ファイルデータ、その他の各種データを、送信クライアント１より受信クライアント１４へ送信されるデータに挿入する。併せて、送信クライアント１へ確認通知として送信されるデータに挿入してもよい。
【００５１】
この際、送信されるデータがバイナリー形式であり、且つ特定の解析ソフトウエアーによりバイナリーデータ内の文字列の変換、又は付け足しが可能な場合は、広告・情報となるバイナリーデータに各種データを付加してもよい。
【００５２】
前記バイナリーデータに各種データを付加する操作は、例えば、アドビ社によって提供されるアクロバットリーダー形式のファイルをピーディエフリブ（PDFlib）ライブラリ等の外部プログラム１１ａを、外部プログラム呼び出し部１０ａにより呼び出し、該プログラムを実行することによって達成できる。
【００５３】
また、広告・情報となる各種データの挿入が、バーコード、キューアールコード（QRコード）、又は画像を認識することにより、数字又は文字列を認識可能な機器の為のコードに対して行われる場合には、バーコード作成部１０ｃによりバーコード内に埋め込まれるデータと共に、広告・情報となる各種データの挿入を行う。
【００５４】
更に、広告・情報となる各種データの挿入が、画像データファイル、音、音楽、音声データファイルに対して行われる場合、サンプリング部１０ｂにてそれらのデータに対して再度サンプリングを行い、画像データの場合においては、広告・情報となる文字列又は対象物等を画像として画像データファイルに付加すること、音データの場合においては、波形として広告・情報となる音、音楽、音楽のテーマ及び音声等を音データファイルに付加することが好ましい。それらの追加作業はバイナリーデータ作成部１１ｂにて行う。
【００５５】
これらの操作は、例えば、画像編集においてはジーディー（ＧＤ）等の画像編集ソフトウエアーを外部プログラム１１ａとして外部プログラム呼び出し部１０ａが呼び出し、音、音楽、音声ファイルにおいては、ポートオーディオ（PortAudio）等のオーディオ編集ソフトウエアーを外部プログラム１１ａとして外部プログラム呼び出し部１０ａが呼び出し、前記のプログラムを実行することが好ましい。
【００５６】
前記操作の後、送信データ作成部１２が、電子メール、ＨＴＭＬ、ＸＭＬ等の各クライアントが利用している各種クライアントシステムに応じて適切な送信データを作成し、データ送信サーバーシステム１３により各クライアントへ送信を行う。
【００５７】
これらキーワード摘出部３から送信データ作成部１２までの一連の作業を実施サーバーシステム１５として設置し、各サーバークライアントシステム間にて送受信されるデータをこの実施サーバーシステム１５にて処理することにより、それらのデータを解析し、キーワードを抜き出し、条件にあうキーワードの存在が確認された場合のみ、各送受信データに対して広告・情報データを挿入して配信を行うこととなる。
【００５８】
以上により、例えば、テニスサークル部員募集を行っている人々へテニス場のレンタル広告を配信し、又は部員募集広告へ応募する人々へテニスラケットの広告を配信する場合に、より確実に必要な情報を必要な人々へ配信することとなる。また、送信クライアント１ないし受信クライアント１４の年齢、性別、在住地域、趣味等の基本登録情報をキーワード検索条件に用いることにより、東京都内に在住し、テニスについてインターネット上の会話をしている２０代女性に対してのみ、テニスラケットの情報を的確に的を絞って提供することとなる。
【００５９】
図１に示される実施サーバーシステム１５の実施形態では、ある送信クライアント１より受信クライアント１４へ送信されるデータを想定しているが、実施サーバーシステム１５の各実施状況について図２に示す。図２に基づいて、実施サーバーシステム１５の各実施状態について詳細に説明する。
【００６０】
第三者との何らかの接触、第三者への情報公開、又はそれらの情報を閲覧することを目的としたデータの通信においては、情報発信クライアント１６、情報閲覧クライアント１７又は情報受信クライアント２７、２８等が存在しており、これらのクライアントが、ある情報又はデータの発信、閲覧、連絡を行うことによって、送受信される各種データに対して実施サーバーシステム１５が実行される。
【００６１】
受信完了通知１９は、情報発信クライアント１６から、何らかの情報を公開する目的で送信されたデータ１８をサーバーシステム１５にて受信したことを通知する目的で情報発信クライアント１６へ送信されるデータである。情報発信クライアント１６より送信されたデータ１８又はそれらのデータ送信のきっかけとなった可能性のあるデータを対象にして実施サーバーシステム１５が、送信データ１８内へ広告・情報に関する各種データを挿入して情報発信クライアント１６へ受信完了通知１９として送信される。
【００６２】
情報閲覧クライアント１７が受信、閲覧を行う閲覧データ２０は、情報発信クライアント１６よりサーバーシステムにて受信されまたは受信後蓄積されたデータ１８であり、実施サーバーシステム１５は、前記受信されまたは受信後蓄積されたデータ１８内へ広告・情報に関する各種データの挿入を行い、閲覧データ２０として情報閲覧クライアント１７へ送信される。
【００６３】
第一接触通知２１は、情報閲覧クライアント１７から情報発信クライアント１６へ何らかの接触を試みる為に送信される各種データであり、情報閲覧クライアント１７から送信された第一接触通知２１、又は直接ないし間接的に情報閲覧クライアント１７による情報発信クライアント１６への接触のきっかけとなった可能性のあるデータ１８ないし２０等を対象に実施サーバーシステム１５は、第一接触通知２１として送信されるデータ内へ広告・情報に関する各種データの挿入を行う。
【００６４】
第一接触通知送信完了通知２２は、情報閲覧クライアント１７から情報発信クライアント１６への接触を試みる為の第一接触通知２１を送信したことを通知する目的で情報閲覧クライアント１７へ送信されるデータであり、情報閲覧クライアント１７から送信された第一接触通知２１、又は直接ないし間接的に情報閲覧クライアント１７による情報発信クライアント１６への接触のきっかけとなった可能性のあるデータ１８ないし２０を対象に実施サーバーシステム１５は、第一接触通知送信完了通知２２として送信されるデータ内へ広告・情報に関する各種データの挿入を行う。
【００６５】
第一接触後の相互連絡通知２３は、情報閲覧クライアント１７による情報発信クライアント１６への第一接触の発生に続き、情報発信クライアント１６と情報閲覧クライアント１７の間で、互いに連絡を取り合う為に送受信されるデータであり、それらの第一接触後の各相互連絡通知２３、又は直接ないし間接的に互いのやり取りのきっかけとなった可能性のあるデータ１８、２０ないし２１を対象に実施サーバーシステム１５が、各相互連絡通知２３として送信されるデータ内へ広告・情報に関する各種データの挿入を行う。
【００６６】
会話クライアント２４、２５は、チャットシステム、インスタントメッセンジャーシステム、オンライン会議システム等のクライアントシステムにおいて、連続的な文字列又は音声による会話もしくはデータ等の通信が行えるクライアントであり、これらの会話クライアント２４、２５の間で送受信される各種データ２６、又は特定グループもしくは話題性のある会話形式掲示板等へ会話クライアント２４、２５が加わることにより把握でき、直接ないし間接的にそれらの会話への参加のきっかけとなった可能性のあるサーバー内に蓄積されているデータ１８ないし２０（クライアント２４、２５に関連性がある場合に限る）を対象に実施サーバーシステム１５が、各会話クライアント２４又は２５へ送信されるデータ内へ広告・情報に関する各種データの挿入を行う。
【００６７】
更新告知通知３０は、情報発信クライアント２９より送信された各種データ３１をサーバーにて受信したことをクライアント２７，２８へ通知するために送信されるデータである。ここに言うクライアント２７，２８は、メーリングリスト、主題性のある電子掲示板、又はそれらに相当する特定の会話、情報、もしくはデータの交換を行う目的で構成された特定のグループに属するクライアント、若しくは、参加したことがあるクライアント、又は情報発信クライアント２９より送信された特定の項目ないし条件に一致するデータを受信する為の設定を行っているクライアント、上記の何れかのクライアントである。情報発信クライアント２９より送信された各種データ、又は直接ないし間接的に情報発信クライアント２９による情報発信のきっかけとなった可能性のあるデータ１８ないし２０（クライアント２７、２８、２９に関連性がある場合に限る）を対象に実施サーバーシステム１５が、更新告知通知３０として送信されるデータ内へ広告・情報に関する各種データの挿入を行う。
【００６８】
前記各状況下での「きっかけとなる可能性のあるデータ」とは、特定の情報に対しての意見、主題性のある電子掲示板、グループ、メーリングリスト等にて話し合われている内容、又は各クライアントが各データを送受信する前に事前に閲覧、参加、受信等の何らかの行動を行っていると判断でき、且つ認識番号、主題、グループ、各種設定等によりそれらの関連性が認識可能な場合におけるデータを言う。
【００６９】
「その他の実施形態」
図１に示す実施サーバーシステム１５においては、各送信クライアント１又は受信クライアント１４へデータが送信される際に実施サーバーシステム１５により広告・情報に関する各種データの挿入を行っているが、本実施形態においては、送信する際のサーバーシステムへの負荷を避ける為、各送信クライアント１よりサーバーシステムにて受信を行った各種データに対して事前に実施サーバーシステム１５を使用し、広告・情報に関する各種データの挿入を行っておき、それらのデータをサーバー内に蓄積しておき、各クライアントからの要求に応じて、適切な送信データの作成を行ったうえで、データ送信サーバーシステム１３により送信を行うものである。
【００７０】
図３に、実施サーバーシステム１５に関して、サーバークライアントシステム間でのデータ送受信以外の状況下における、その他の実施形態を示す。
【００７１】
図２に示す例では、第三者との何らかの接触、第三者への情報公開、又はそれらの情報を閲覧することを目的としたサービスの提供を行うサーバーシステムと、それらと通信を行うクライアントシステム間でのデータを対象に実施サーバーシステム１５が使用されているが、本実施形態においては、ブエッブログシステム等の情報閲覧者へ特定の情報を提供する目的で他の参照先サーバー又はクライアントシステム３２を、参照サーバーシステム３４にて参照することにより取得されたデータ３３、転送サーバーシステム３５によって送信サーバー又はクライアントシステム３６から受信サーバー又はクライアントシステム３７へ転送されるデータ３８、又は実施サーバーシステム１５を全く保有していない又は一部のみ保有している外部サーバーシステム３９ないしポイントトゥポイント（PtoP）クライアントシステム４０より実施サーバーシステム１５を使用為の依頼として受信した各種問い合わせデータ４１において実施サーバーシステム１５を使用するものである。これらの状況下において、送受信、転送、受信後蓄積されたデータに対して実施サーバーシステム１５を使用することにより、データを解析し、キーワードを抜き出し、条件にあうキーワードの存在が確認された場合のみ広告・情報提供を行う。
【００７２】
尚、実施サーバーシステム１５を全く保有しないか又は一部保有している外部サーバーシステム３９ないしポイントトゥポイント（PtoP）クライアントシステム４０等のクライアントシステムから送信されて来たデータ４１を対象に実施サーバーシステム１５が適用される場合は、必要に応じ実施サーバーシステム１５の全ての機能又は一部の機能を使用し、それらの結果又結果を付け足したデータを各サーバーシステムないしクライアントシステムへ送信することが可能である。
【産業上の利用可能性】
【００７３】
社会生活を営むにあたって、生活に必要な情報又はデータの入手活動は必要不可欠な行動であるが、現情報配信システムにおいては、マスメディア的な配信方法が多く、必要な時に必要な情報を入手することがまだまだ困難である。しかしながら本発明にかかる広告・情報配信システムによれば、現行システムの特定性ないし的中性において劣る部分を補い、情報提供産業に飛躍的な進歩と可能性をもたらすこととなる。
【図面の簡単な説明】
【００７４】
【図１】この発明の一実施形態にかかる広告・情報配信システムの構成を示すブロック図である。
【図２】実施サーバーシステムの使用状態を示すブロック図である。
【図３】その他の実施形態における実施サーバーシステムの使用状態を示すブロック図である。
【図４】この発明の一実施形態にかかる広告・情報配信システムにおける動作を例示するフローチャートである。
【符号の説明】
【００７５】
１      送信クライアント
２      広告・情報登録クライアント
３      キーワード摘出部
４ａ    外部プログラム呼び出し部
４ｂ    サンプリング部
５ａ    外部プログラム
５ｂ    文字列変換データベース
６      キーワード検索部
７      広告情報格納システム
８      利用者データベース
９      広告・情報挿入部
１０ａ  外部プログラム呼び出し部
１０ｂ  サンプリング部
１０ｃ  バーコード作成部
１１ａ  外部プログラム
１１ｂ  バイナリーデータ作成部
１２    送信データ作成部
１３    データ送信サーバーシステム
１４    受信クライアント
１５    実地サーバーシステム
１６    情報発信クライアント１６
１７    情報閲覧クライアント１７
１８    情報発信クライアント１６より送信されたデータ
１９    受信完了通知
２０    閲覧データ
２１    第一接触通知
２２    第一接触通知送信完了通知
２３    相互連絡通知
２４    会話クライアント２４
２５    会話クライアント２５
２６    会話クライアント２４、２５にて送受信されるデータ
２７    受信クライアント２７
２８    受信クライアント２８
２９    情報発信クライアント２９
３０    更新告知通知
３１    情報発信クライアント２９により送信されたデータ
３２    参照先サーバー又はクライアントシステム
３３    参照先サーバー又はクライアントシステム３２より取得されたデータ
３４    参照サーバーシステム
３５    転送サーバーシステム
３６    送信サーバー又はクライアントシステム
３７    受信サーバー又はクライアントシステム
３８    転送されるデータ
３９    外部サーバーシステム
４０    ポイントトゥポイント（PtoP）クライアントシステム
４１    問い合わせデータ
【図１】
0004832307.tif 000002
【図２】
0004832307.tif 000003
【図３】
0004832307.tif 000004
【図４】
0004832307.tif 000005